(57)【要約】【課題】鉄板を用いることで、コンクリートとの断面積比、付着応力を確保し、コンクリートとの一体性を有し、しかも工場加工が可能で組立の作業性及び施工精度が向上する。【解決手段】コンクリート基礎梁は、鉄筋を鉄線で結束した横梁と、鉄板からなる縦梁とからなり、横梁に縦梁を立設するように連結した。また、コンクリート基礎梁は、鉄板からなる横梁と、鉄筋を鉄線で結束した縦梁とからなり、横梁に縦梁を立設するように連結した。また、コンクリート基礎梁は、鉄板からなる横梁と、鉄板からなる縦梁とからなり、横梁に縦梁を立設するように連結した。【選択図】図２
2004084329.tif 000002
【特許請求の範囲】
【請求項１】
鉄筋を鉄線で結束した横梁と、鉄板からなる縦梁とからなり、前記横梁に前記縦梁を立設するように連結したことを特徴とするコンクリート基礎梁。
【請求項２】
鉄板からなる横梁と、鉄筋を鉄線で結束した縦梁とからなり、前記横梁に前記縦梁を立設するように連結したことを特徴とするコンクリート基礎梁。
【請求項３】
鉄板からなる横梁と、鉄板からなる縦梁とからなり、前記横梁に前記縦梁を立設するように連結したことを特徴とするコンクリート基礎梁。
【請求項４】
前記鉄板は、所定箇所に開口部を有することを特徴とする請求項１乃至請求項３のいずれか１項に記載のコンクリート基礎梁。
【請求項５】
前記開口部は、開口縁部に曲がりを有することを特徴とする請求項４項に記載のコンクリート基礎梁。
【請求項６】
前記鉄板は、所定箇所に凸又は凹状のリブを有することを特徴とする請求項１乃至請求項５のいずれか１項に記載のコンクリート基礎梁。
【請求項７】
前記リブは、所定箇所に節を有することを特徴とする請求項６項に記載のコンクリート基礎梁。
【請求項８】
前記横梁と前記縦梁とに継ぎ手を当てがい溶接及び／または締付手段で連結することを特徴とする請求項３乃至請求項７のいずれか１項に記載のコンクリート基礎梁。
【請求項９】
前記横梁同士に継ぎ手を当てがい溶接及び／または締付手段で連結することを特徴とする請求項３乃至請求項７のいずれか１項に記載のコンクリート基礎梁。
【請求項１０】
前記縦梁同士に継ぎ手を当てがい溶接及び／または締付手段で連結することを特徴とする請求項３乃至請求項７のいずれか１項に記載のコンクリート基礎梁。
【請求項１１】
鉄筋を鉄線で結束した横梁と、鉄板からなる縦梁とを用い、前記横梁に前記縦梁を立設するように連結して組み立てることを特徴とするコンクリート基礎梁組立方法。
【請求項１２】
鉄板からなる横梁と、鉄筋を鉄線で結束した縦梁とを用い、前記横梁に前記縦梁を立設するように連結して組み立てることを特徴とするコンクリート基礎梁組立方法。
【請求項１３】
鉄板からなる横梁と、鉄板からなる縦梁とを用い、前記横梁に前記縦梁を立設するように連結して組み立てることを特徴とするコンクリート基礎梁組立方法。
【請求項１４】
前記横梁と前記縦梁とに継ぎ手を当てがい溶接及び／または締付手段で連結することを特徴とする請求項１１乃至請求項１３のいずれか１項に記載のコンクリート基礎梁組立方法。
【請求項１５】
前記横梁同士に継ぎ手を当てがい溶接及び／または締付手段で連結することを特徴とする請求項１１乃至請求項１３のいずれか１項に記載のコンクリート基礎梁組立方法。
【請求項１６】
前記縦梁同士に継ぎ手を当てがい溶接及び／または締付手段で連結することを特徴とする請求項１１乃至請求項１３のいずれか１項に記載のコンクリート基礎梁組立方法。
【発明の詳細な説明】
【０００１】
【発明の属する技術分野】
この発明は、コンクリート基礎梁及びコンクリート基礎梁組立方法に係り、詳しくは、施工現場において容易に組立てることができるコンクリート基礎梁及びコンクリート基礎梁組立方法に関する。
【０００２】
【従来の技術】
木造住宅等のコンクリート基礎梁は、例えば特開平７−１０９７８８号に予め横筋と縦筋とを鉄線で結束した配筋ユニットを作成し、この配筋ユニットの横筋の一方の端部を横筋の延長線から外れるように屈曲させて重ね継手部を形成することが開示されている。
【０００３】
【発明が解決しようとする課題】
このように、鉄筋を用いてコンクリートとの断面積比、付着応力を確保するには、多くの鉄筋が必要であり、また配筋が複雑となり施工精度が悪い。また、鉄線で結束するときの位置合わせに手数を要すると共に、結束部分が多く作業性が悪い等の問題がある。
【０００４】
この発明は、このような実情に鑑みてなされたもので、鉄板を用いることで、コンクリートとの断面積比、付着応力を確保し、コンクリートとの一体性を有し、しかも工場加工が可能で組立の作業性及び施工精度が向上するコンクリート基礎梁及びコンクリート基礎梁組立方法を提供することを目的としている。
【０００５】
【課題を解決するための手段】
前記課題を解決し、かつ目的を達成するために、この発明は、以下のように構成した。
【０００６】
請求項１に記載の発明は、鉄筋を鉄線で結束した横梁と、鉄板からなる縦梁とからなり、前記横梁に前記縦梁を立設するように連結したことを特徴とするコンクリート基礎梁である。
【０００７】
この請求項１に記載の発明によれば、鉄板からなる縦梁を用い、横梁に縦梁を立設するように連結し、縦梁に鉄板を用いることで、コンクリートとの断面積比、付着応力を確保し、コンクリートとの一体性を有し、しかも工場加工が可能で組立の作業性及び施工精度が向上する。
【０００８】
請求項２に記載の発明は、鉄板からなる横梁と、鉄筋を鉄線で結束した縦梁とからなり、前記横梁に前記縦梁を立設するように連結したことを特徴とするコンクリート基礎梁である。
【０００９】
この請求項２に記載の発明によれば、鉄板からなる横梁を用い、横梁に縦梁を立設するように連結し、横梁に鉄板を用いることで、コンクリートとの断面積比、付着応力を確保し、コンクリートとの一体性を有し、しかも工場加工が可能で組立の作業性及び施工精度が向上する。
【００１０】
請求項３に記載の発明は、鉄板からなる横梁と、鉄板からなる縦梁とからなり、前記横梁に前記縦梁を立設するように連結したことを特徴とするコンクリート基礎梁である。
【００１１】
この請求項３に記載の発明によれば、鉄板からなる横梁と、鉄板からなる縦梁とを用い、横梁に縦梁を立設するように連結し、横梁と縦梁に鉄板を用いることで、コンクリートとの断面積比、付着応力を確保し、コンクリートとの一体性を有し、しかも工場加工が可能で組立の作業性及び施工精度が向上する。
【００１２】
請求項４に記載の発明は、前記鉄板は、所定箇所に開口部を有することを特徴とする請求項１乃至請求項３のいずれか１項に記載のコンクリート基礎梁である。
【００１３】
この請求項４に記載の発明によれば、鉄板は、所定箇所に開口部を有することで、強度を損なうことなく軽量化を図ることができる。
【００１４】
請求項５に記載の発明は、前記開口部は、開口縁部に曲がりを有することを特徴とする請求項４項に記載のコンクリート基礎梁である。
【００１５】
この請求項５に記載の発明によれば、開口部は、開口縁部に曲がりを有することで、簡単な構造で強度を向上させることができる。
【００１６】
請求項６に記載の発明は、前記鉄板は、所定箇所に凸又は凹状のリブを有することを特徴とする請求項１乃至請求項５のいずれか１項に記載のコンクリート基礎梁である。
【００１７】
この請求項６に記載の発明によれば、鉄板は、所定箇所に凸又は凹状のリブを有することで、簡単な構造で強度を向上させることができる。
【００１８】
請求項７に記載の発明は、前記リブは、所定箇所に節を有することを特徴とする請求項６項に記載のコンクリート基礎梁である。
【００１９】
この請求項７に記載の発明によれば、リブは、所定箇所に節を有することで、コクリートとの付着応力を一層向上させることができる。
【００２０】
請求項８に記載の発明は、前記横梁と前記縦梁とに継ぎ手を当てがい溶接及び／または締付手段で連結することを特徴とする請求項３乃至請求項７のいずれか１項に記載のコンクリート基礎梁である。
【００２１】
この請求項８に記載の発明によれば、横梁と縦梁とに継ぎ手を当てがい溶接及び／または締付手段で連結することで、簡単かつ確実で、しかも迅速に連結することができ作業性が向上する。
【００２２】
請求項９に記載の発明は、前記横梁同士に継ぎ手を当てがい溶接及び／または締付手段で連結することを特徴とする請求項３乃至請求項７のいずれか１項に記載のコンクリート基礎梁である。
【００２３】
この請求項９に記載の発明によれば、横梁同士に継ぎ手を当てがい溶接及び／または締付手段で連結することで、簡単かつ確実で、しかも迅速に連結することができ作業性が向上する。
【００２４】
請求項１０に記載の発明は、前記縦梁同士に継ぎ手を当てがい溶接及び／または締付手段で連結することを特徴とする請求項３乃至請求項７のいずれか１項に記載のコンクリート基礎梁である。
【００２５】
この請求項１０に記載の発明によれば、縦梁同士に継ぎ手を当てがい溶接及び／または締付手段で連結することで、簡単かつ確実で、しかも迅速に連結することができ、組立の作業性が向上する。
【００２６】
請求項１１に記載の発明は、鉄筋を鉄線で結束した横梁と、鉄板からなる縦梁とを用い、前記横梁に前記縦梁を立設するように連結して組み立てることを特徴とするコンクリート基礎梁組立方法である。
【００２７】
この請求項１１に記載の発明によれば、鉄板からなる縦梁を用い、横梁に縦梁を立設するように連結し、縦梁に鉄板を用いることで、コンクリートとの断面積比、付着応力を確保し、コンクリートとの一体性を有し、しかも工場加工が可能で組立の作業性及び施工精度が向上する。
【００２８】
請求項１２に記載の発明は、鉄板からなる横梁と、鉄筋を鉄線で結束した縦梁とを用い、前記横梁に前記縦梁を立設するように連結して組み立てることを特徴とするコンクリート基礎梁組立方法である。
【００２９】
この請求項１２に記載の発明によれば、鉄板からなる横梁を用い、横梁に縦梁を立設するように連結し、横梁に鉄板を用いることで、コンクリートとの断面積比、付着応力を確保し、コンクリートとの一体性を有し、しかも工場加工が可能で組立の作業性及び施工精度が向上する。
【００３０】
請求項１３に記載の発明は、鉄板からなる横梁と、鉄板からなる縦梁とを用い、前記横梁に前記縦梁を立設するように連結して組み立てることを特徴とするコンクリート基礎梁組立方法である。
【００３１】
この請求項１３に記載の発明によれば、鉄板からなる横梁と、鉄板からなる縦梁とを用い、横梁に縦梁を立設するように連結し、横梁と縦梁に鉄板を用いることで、コンクリートとの断面積比、付着応力を確保し、コンクリートとの一体性を有し、しかも工場加工が可能で組立の作業性及び施工精度が向上する。
【００３２】
請求項１４に記載の発明は、前記横梁と前記縦梁とに継ぎ手を当てがい溶接及び／または締付手段で連結することを特徴とする請求項１１乃至請求項１３のいずれか１項に記載のコンクリート基礎梁組立方法である。
【００３３】
この請求項１４に記載の発明によれば、横梁と縦梁とに継ぎ手を当てがい溶接及び／または締付手段で連結することで、簡単かつ確実で、しかも迅速に連結することができ、組み立ての作業性が向上する。
【００３４】
請求項１５に記載の発明は、前記横梁同士に継ぎ手を当てがい溶接及び／または締付手段で連結することを特徴とする請求項１１乃至請求項１３のいずれか１項に記載のコンクリート基礎梁組立方法である。
【００３５】
この請求項１５に記載の発明によれば、横梁同士に継ぎ手を当てがい溶接及び／または締付手段で連結することで、簡単かつ確実で、しかも迅速に連結することができ、組立の作業性が向上する。
【００３６】
請求項１６に記載の発明は、前記縦梁同士に継ぎ手を当てがい溶接及び／または締付手段で連結することを特徴とする請求項１１乃至請求項１３のいずれか１項に記載のコンクリート基礎梁組立方法である。
【００３７】
この請求項１６に記載の発明によれば、縦梁同士に継ぎ手を当てがい溶接及び／または締付手段で連結することで、簡単かつ確実で、しかも迅速に連結することができ、組立の作業性が向上する。
【００３８】
【発明の実施の形態】
以下、この発明のコンクリート基礎梁及びコンクリート基礎梁組立方法の実施の形態を図面に基づいて詳細に説明するが、この発明は、この実施の形態に限定されない。
【００３９】
図１は住宅基礎の平面図である。住宅基礎１は、施工現場でコンクリート基礎梁を組み立ててコンクリートを打設して施工される。この住宅基礎にはＬ型コーナ部２、Ｔ型コーナ部３及び十字交差部４等がある。
【００４０】
次に、コンクリート基礎梁の組み立てを図２に基づいて説明する。図２（ａ）のコンクリート基礎梁は、鉄筋１０を鉄線１１で結束した横梁Ａ１と、鉄板２０からなる縦梁Ｂ１とからなり、横梁Ａ１に縦梁Ｂ１を立設するように連結して組み立てる。
【００４１】
この実施の形態では、鉄板２０からなる縦梁Ｂ１を用い、横梁Ａ１に縦梁Ｂ１を立設するように連結して組み立て、鉄板２０を用いることで、鉄板２０を工場で加工でき、またシンプルな配筋となり、コンクリート基礎梁の現場での組立の作業性及び施工精度が向上する。
【００４２】
また、コンクリートを打設して施工した住宅基礎１は、鉄板２０を用いることで、コンクリートとの断面積比、付着応力が増大する。また、鉄板２０は引っ張り応力のための定着確保による材料のロスがない。また、コンクリートのかぶり厚さが大きくなり、コンクリートとの一体性が良くなる。
【００４３】
図２（ｂ）のコンクリート基礎梁は、鉄板３０からなる横梁Ａ２と、鉄筋４０を鉄線４１で結束した縦梁Ｂ２とからなり、横梁Ａ２に縦梁Ｂ２を立設するように連結して組み立てる。
【００４４】
この実施の形態では、鉄板３０からなる横梁Ａ２を用い、横梁Ａ２に縦梁Ｂ２を立設するように連結して組み立て、鉄板３０を用いることで、鉄板３０を工場で加工でき、またシンプルな配筋となり、コンクリート基礎梁の現場での組立の作業性及び施工精度が向上する。
【００４５】
また、コンクリートを打設して施工した住宅基礎１は、鉄板３０を用いることで、コンクリートとの断面積比、付着応力が増大する。また、鉄板３０は引っ張り応力のための定着確保による材料のロスがない。また、コンクリートのかぶり厚さが大きくなり、コンクリートとの一体性が良くなる。
【００４６】
図２（ｃ）のコンクリート基礎梁は、鉄板５０からなる横梁Ａ３と、鉄板６０からなる縦梁Ｂ３とからなり、横梁Ａ３に縦梁Ｂ３を立設するように連結して組み立てる。
【００４７】
この実施の形態では、鉄板５０からなる横梁Ａ３と、鉄板６０からなる縦梁Ｂ３とを用い、横梁Ａ３に縦梁Ｂ３を立設するように連結して組み立て、鉄板５０，６０を用いることで、鉄板５０，６０を工場で加工でき、またシンプルな配筋となり、コンクリート基礎梁の現場での組立の作業性及び施工精度が向上する。
【００４８】
また、コンクリートを打設して施工した住宅基礎１は、鉄板５０，６０を用いることで、コンクリートとの断面積比、付着応力が増大する。また、鉄板５０，６０は引っ張り応力のための定着確保による材料のロスがない。また、コンクリートのかぶり厚さが大きくなり、コンクリートとの一体性が良くなる。
【００４９】
次に、図２（ａ）の鉄板２０からなる縦梁Ｂ１、図２（ｂ）の鉄板３０からなる横梁Ａ２、図２（ｃ）の鉄板５０からなる横梁Ａ３と、鉄板６０からなる縦梁Ｂ３とを図３乃至図８に基づいて説明する。
【００５０】
それぞれの鉄板２０、鉄板３０、鉄板５０、鉄板６０は、図３乃至図９に示すように、所定箇所に開口部７０を有し、図３は方形の開口部７０を格子状に配置したものであり、図４は長方形の開口部７０を格子状に配置したものであり、図５は三角形の開口部７０をＶ字状に配置したものであり、図６は楕円形の開口部７０を格子状に配置したものであり、図７は菱形の開口部７０を斜め格子状に配置したものであり、図８は略台形の開口部７０をＸ字状に配置したものであり、所定箇所に開口部７０を有することで、強度を損なうことなく軽量化を図ることができる。
【００５１】
また、開口部７０は、図９に示すように、開口縁部７０ａに曲がりを有している。この開口縁部７０ａの曲がりは、開口部７０を打ち抜き加工するときに形成され、この開口縁部７０ａの曲がりがリブとなって、簡単な構造で強度を向上させることができる。
【００５２】
それぞれの鉄板２０、鉄板３０、鉄板５０、鉄板６０は、図１０乃至図１７に示すように、所定箇所にリブ７１を有する。図１０は図３の開口部７０の周りにリブ７１を有し、図１１は図４の開口部７０の周りにリブ７１を有し、図１２は図５の開口部７０の周りにリブ７１を有し、図１３は図６の開口部７０の周りにリブ７１を有し、図１４は図７の開口部７０の周りにリブ７１を有し、図１５は図８の開口部７０の周りにリブ７１を有する。
【００５３】
このリブ７１は、凸又は凹状に絞って形成され、図１６に節７１ａを有するように絞って形成した実施の形態を示す。また図１７に鉄板の両面に溶接して形成した実施の形態を示す。それぞれの鉄板２０、鉄板３０、鉄板５０、鉄板６０は、所定箇所に凸又は凹状のリブ７１を有することで、簡単な構造で強度を向上させることができる。また、リブ７１は、所定箇所に節７１ａを有することで、コクリートとの付着応力を一層向上させることができる。
【００５４】
次に、横梁と縦梁とに継ぎ手を当てがい連結する実施の形態を図１８乃至図２０に基づいて説明する。図１８は、図２（ａ）の鉄筋１０を鉄線１１で結束した横梁Ａ１と、鉄板２０からなる縦梁Ｂ１との連結の実施の形態で、図１８（ａ）はＴ型の継ぎ手Ｃを構成するＬ型添え板８０とＩ型添え板８２を当てがい溶接８１で連結したものであり、図１８（ｂ）はＴ型の継ぎ手Ｃを構成するＬ型添え板８０とＩ型添え板８２とをボルトとナットの締付手段８３で連結し、Ｌ型添え板８０同士をボルトとナットの締付手段８４で連結したものであり、簡単かつ確実で、しかも迅速に連結することができ作業性が向上する。
【００５５】
図１９は、図２（ｂ）の鉄板３０からなる横梁Ａ２と、鉄筋４０を鉄線４１で結束した縦梁Ｂ２との連結の実施の形態で、図１９（ａ）はＴ型の継ぎ手Ｃを構成するＬ型添え板８０とＩ型添え板８２を当てがい溶接８１で連結したものであり、図１９（ｂ）はＴ型の継ぎ手Ｃを構成するＬ型添え板８０とＩ型添え板８２とをボルトとナットの締付手段８３で連結し、Ｌ型添え板８０同士をボルトとナットの締付手段８４で連結したものであり、簡単かつ確実で、しかも迅速に連結することができ作業性が向上する。
【００５６】
図２０は、図２（ｃ）の鉄板５０からなる横梁Ａ３と、鉄板６０からなる縦梁Ｂ３との連結の実施の形態で、図２０（ａ）はＴ型の継ぎ手Ｃを構成するＬ型添え板８０とＩ型添え板８２を当てがい溶接８１で連結したものであり、図２０（ｂ）はＴ型の継ぎ手Ｃを構成するＬ型添え板８０とＩ型添え板８２とをボルトとナットの締付手段８３で連結し、Ｌ型添え板８０同士をボルトとナットの締付手段８４で連結したものであり、簡単かつ確実で、しかも迅速に連結することができ作業性が向上する。
【００５７】
次に、横梁同士に継ぎ手を当てがい連結する実施の形態を図２１に基づいて説明する。図２１は、図２（ｂ）の鉄板３０からなる横梁Ａ２同士の連結、図２（ｃ）の鉄板５０からなる横梁Ａ３同士の連結を示し、図２１（ａ）はＩ型の継ぎ手Ｄを構成するＩ型添え板８７を両側から当てがい溶接８５で連結したものであり、図２１（ｂ）はＩ型の継ぎ手Ｄを構成するＩ型添え板８７を両側から当てがいボルトとナットの締付手段８６で連結したものであり、簡単かつ確実で、しかも迅速に連結することができ作業性が向上する。
【００５８】
図２（ａ）の横梁Ａ１は鉄筋１０を鉄線１１で結束したものであり、この横梁Ａ１同士の連結は公知の連結筋によって行なわれる。
【００５９】
次に、縦梁同士に継ぎ手を当てがい連結する実施の形態を図２２及び図２３に基づいて説明する。図２２及び図２３は、図２（ａ）の鉄板２０からなる縦梁Ｂ１同士の連結、図２（ｃ）の鉄板６０からなる縦梁Ｂ３同士の連結を示し、図２２はＬ型の継ぎ手Ｅ、Ｔ型の継ぎ手Ｆ、Ｉ型の継ぎ手Ｇ、Ｉ型の端部Ｈを示し、図２３は十字型の継ぎ手Ｉを示す。
【００６０】
図２２のＬ型の継ぎ手Ｅは、Ｌ型添え板９０を両側から当てがい所定箇所ｅを溶接または締付手段で連結し、Ｔ型の継ぎ手Ｆは、Ｌ型添え板９１とＩ型添え板９２を両側から当てがい所定箇所ｆを溶接または締付手段で連結し、Ｉ型の継ぎ手Ｇは、Ｉ型添え板９３を両側から当てがい所定箇所ｇを溶接または締付手段で連結し、Ｉ型の端部Ｈは、Ｌ型添え板９４を両側から当てがい所定箇所ｈを溶接または締付手段で連結する。図２３の十字型の継ぎ手Ｉは、Ｌ型添え板９５を両側から当てがい所定箇所ｉを溶接または締付手段で連結し、簡単かつ確実で、しかも迅速に連結することができ作業性が向上する。
【００６１】
このように、継ぎ手を当てがい溶接または締付手段で連結しているが、溶接及び締付手段の両方で連結してもよく、継ぎ手を当てがい強固に固定されることで、コンクリートのひび割れによる付着力の低下を防止できる。
【００６２】
なお、前記の各実施の形態では、鉄板からなる縦梁や鉄板からなる横梁は、鉄板が１枚の場合について説明したが、２枚以上の鉄板を用いて縦梁や横梁としてもよい。
【００６３】
【発明の効果】
以上説明したように、請求項１に記載の発明では、鉄板からなる縦梁を用い、横梁に縦梁を立設するように連結し、縦梁に鉄板を用いることで、コンクリートとの断面積比、付着応力を確保し、コンクリートとの一体性を有し、しかも工場加工が可能で組立の作業性及び施工精度が向上する。
【００６４】
請求項２に記載の発明では、鉄板からなる横梁を用い、横梁に縦梁を立設するように連結し、横梁に鉄板を用いることで、コンクリートとの断面積比、付着応力を確保し、コンクリートとの一体性を有し、しかも工場加工が可能で組立の作業性及び施工精度が向上する。
【００６５】
請求項３に記載の発明では、鉄板からなる横梁と、鉄板からなる縦梁とを用い、横梁に縦梁を立設するように連結し、横梁と縦梁に鉄板を用いることで、コンクリートとの断面積比、付着応力を確保し、コンクリートとの一体性を有し、しかも工場加工が可能で組立の作業性及び施工精度が向上する。
【００６６】
請求項４に記載の発明では、鉄板は、所定箇所に開口部を有することで、強度を損なうことなく軽量化を図ることができる。
【００６７】
請求項５に記載の発明では、開口部は、開口縁部に曲がりを有することで、簡単な構造で強度を向上させることができる。
【００６８】
請求項６に記載の発明では、鉄板は、所定箇所に凸又は凹状のリブを有することで、簡単な構造で強度を向上させることができる。
【００６９】
請求項７に記載の発明では、リブは、所定箇所に節を有することで、コクリートとの付着応力を一層向上させることができる。
【００７０】
請求項８に記載の発明では、横梁と縦梁とに継ぎ手を当てがい溶接及び／または締付手段で連結することで、簡単かつ確実で、しかも迅速に連結することができ作業性が向上する。
【００７１】
請求項９に記載の発明では、横梁同士に継ぎ手を当てがい溶接及び／または締付手段で連結することで、簡単かつ確実で、しかも迅速に連結することができ作業性が向上する。
【００７２】
請求項１０に記載の発明では、縦梁同士に継ぎ手を当てがい溶接及び／または締付手段で連結することで、簡単かつ確実で、しかも迅速に連結することができ、組立の作業性が向上する。
【００７３】
請求項１１に記載の発明では、鉄板からなる縦梁を用い、横梁に縦梁を立設するように連結し、縦梁に鉄板を用いることで、コンクリートとの断面積比、付着応力を確保し、コンクリートとの一体性を有し、しかも工場加工が可能で組立の作業性及び施工精度が向上する。
【００７４】
請求項１２に記載の発明では、鉄板からなる横梁を用い、横梁に縦梁を立設するように連結し、横梁に鉄板を用いることで、コンクリートとの断面積比、付着応力を確保し、コンクリートとの一体性を有し、しかも工場加工が可能で組立の作業性及び施工精度が向上する。
【００７５】
請求項１３に記載の発明では、鉄板からなる横梁と、鉄板からなる縦梁とを用い、横梁に縦梁を立設するように連結し、横梁と縦梁に鉄板を用いることで、コンクリートとの断面積比、付着応力を確保し、コンクリートとの一体性を有し、しかも工場加工が可能で組立の作業性及び施工精度が向上する。
【００７６】
請求項１４に記載の発明では、横梁と縦梁とに継ぎ手を当てがい溶接及び／または締付手段で連結することで、簡単かつ確実で、しかも迅速に連結することができ、組み立ての作業性が向上する。
【００７７】
請求項１５に記載の発明では、横梁同士に継ぎ手を当てがい溶接及び／または締付手段で連結することで、簡単かつ確実で、しかも迅速に連結することができ、組立の作業性が向上する。
【００７８】
請求項１６に記載の発明では、縦梁同士に継ぎ手を当てがい溶接及び／または締付手段で連結することで、簡単かつ確実で、しかも迅速に連結することができ、組立の作業性が向上する。
【図面の簡単な説明】
【図１】住宅基礎の平面図である。
【図２】コンクリート基礎梁の組み立てを説明する図である。
【図３】鉄板に方形の開口部を格子状に配置した図である。
【図４】鉄板に長方形の開口部を格子状に配置した図である。
【図５】鉄板に三角形の開口部をＶ字状に配置した図である。
【図６】鉄板に楕円形の開口部を格子状に配置した図である。
【図７】鉄板に菱形の開口部を斜め格子状に配置した図である。
【図８】鉄板に略台形の開口部をＸ字状に配置した図である。
【図９】開口縁部の曲がりを示す断面図である。
【図１０】図３の開口部の周りのリブを示す図である。
【図１１】図４の開口部の周りのリブを示す図である。
【図１２】図５の開口部の周りのリブを示す図である。
【図１３】図６の開口部の周りのリブを示す図である。
【図１４】図７の開口部の周りのリブを示す図である。
【図１５】図８の開口部の周りのリブを示す図である。
【図１６】リブの実施の形態を示す図である。
【図１７】リブの実施の形態を示す図である。
【図１８】図２（ａ）の横梁と縦梁との連結の実施の形態を示す図である。
【図１９】図２（ｂ）の横梁と縦梁との連結の実施の形態を示す図である。
【図２０】図２（ｃ）の横梁と縦梁との連結の実施の形態を示す図である。
【図２１】横梁同士に継ぎ手を当てがい連結する実施の形態を示す図である。
【図２２】縦梁同士に継ぎ手を当てがい連結する実施の形態を示す図である。
【図２３】縦梁同士に継ぎ手を当てがい連結する実施の形態を示す図である。
【符号の説明】
１　住宅基礎
２　Ｌ型コーナ部
３　Ｔ型コーナ部
４　十字交差部
１０，２０，３０，５０，６０　鉄筋
Ａ１，Ａ２，Ａ３　横梁
Ｂ１，Ｂ１２，Ｂ３　縦梁
【図１】
2004084329.tif 000003
【図２】
2004084329.tif 000004
【図３】
2004084329.tif 000005
【図４】
2004084329.tif 000006
【図５】
2004084329.tif 000007
【図６】
2004084329.tif 000008
【図７】
2004084329.tif 000009
【図８】
2004084329.tif 000010
【図９】
2004084329.tif 000011
【図１０】
2004084329.tif 000012
【図１１】
2004084329.tif 000013
【図１２】
2004084329.tif 000014
【図１３】
2004084329.tif 000015
【図１４】
2004084329.tif 000016
【図１５】
2004084329.tif 000017
【図１６】
2004084329.tif 000018
【図１７】
2004084329.tif 000019
【図１８】
2004084329.tif 000020
【図１９】
2004084329.tif 000021
【図２０】
2004084329.tif 000022
【図２１】
2004084329.tif 000023
【図２２】
2004084329.tif 000024
【図２３】
2004084329.tif 000025